【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
原色ベイヤー配列の色フィルタを備えた撮像素子によって得られた被写体の信号から、輝度信号を作成する輝度信号作成装置であって、
前記撮像素子のＧ画素の信号のみから作成した第１の輝度信号を用いて第１の高周波信号を作成する第１の高周波信号作成手段と、
前記撮像素子の全色画素の信号から作成した第２の輝度信号を用いて第２の高周波信号を作成する第２の高周波信号作成手段と、
前記被写体の信号の空間周波数に応じて前記第１の高周波信号と第２の高周波信号を加重加算し第３の高周波信号を作成する加重加算手段と、
前記第１の輝度信号と第３の高周波信号を加算し、第３の輝度信号を作成する加算手段とを有し、
前記加重加算手段は、前記第１の輝度信号に、空間周波数領域において４５度方向のバンドパスフィルタ処理を行った第１のバンドパス信号と、前記第１の輝度信号に、空間周波数領域において１３５度方向のバンドパスフィルタ処理を行った第２のバンドパス信号との差の絶対値が大きいほど、前記第３の高周波信号における前記第２の高周波信号の比率を高くする加重加算を行なうことを特徴とする輝度信号作成装置。
【請求項２】
前記加重加算手段は、前記撮像素子の着目画素を挟んで上下に存在する少なくとも一組の画素信号の差分値の絶対値と、前記着目画素を挟んで左右に存在する少なくとも一組の画素信号の差分値の絶対値とに基づいて前記被写体が縦縞もしくは横縞である度合いを判別し、縦縞もしくは横縞に近いほど、前記第３の高周波信号における前記第１の高周波信号の比率を高くする加重加算を行なうことを特徴とする請求項１記載の輝度信号作成装置。
【請求項３】
前記加重加算手段は、前記Ｇ画素のうちＲ画素の両隣に存在するＧ１画素の信号の低周波成分と、Ｂ画素の両隣に存在するＧ２画素の信号の低周波成分との差分信号の絶対値が大きいほど、前記第３の高周波信号における前記第１の高周波信号の比率を高くする加重加算を行なうことを特徴とする請求項１又は請求項２に記載の輝度信号作成装置。
【請求項４】
前記加重加算手段は、前記撮像素子から得られる前記被写体の信号の低周波数領域を検出するフィルタの出力信号の絶対値信号が大きいほど前記第３の高周波信号における前記第１の高周波信号の比率を高くする加重加算を行なうことを特徴とする請求項１乃至請求項４のいずれか１項に記載の輝度信号作成装置。
【請求項５】
前記加重加算手段は、前記撮像素子から得られる前記被写体の信号から前記被写体の色を検出し、前記被写体の色が赤色に近いほど前記第３の高周波信号における前記第１の高周波信号の比率を高くする加重加算を行なうことを特徴とする請求項１乃至請求項５のいずれか１項に記載の輝度信号作成装置。
【請求項６】
原色ベイヤー配列の色フィルタを備えた撮像素子によって得られた被写体の信号から、前記撮像素子の各画素の輝度信号を作成する輝度信号作成装置であって、
前記撮像素子のＧ画素のみから作成した第１の輝度信号を用いて第１の高周波信号を作成する第１の高周波信号作成手段と、
前記撮像素子の全色画素の信号の水平、垂直及び４５度方向の帯域を制限した第２の輝度信号を用いて第２の高周波信号を作成する第２の高周波信号作成手段と、
前記撮像素子の全色画素の信号の水平、垂直及び１３５度方向の帯域を制限した第３の輝度信号を用いて第３の高周波信号を作成する第３の高周波信号作成手段と、
前記第２及び第３の高周波信号の一方を選択する選択手段と、
前記第１の高周波信号と、前記第２及び第３の高周波信号のうち前記選択手段が選択した一方とを加重加算し、第４の高周波信号を作成する加重加算手段と、
前記第１の輝度信号と第４の高周波信号とを加算し、第４の輝度信号を出力する加算手段と、を有し、
前記選択手段は、前記第１の輝度信号の４５度方向の帯域を制限した信号の絶対値が前記第１の輝度信号の１３５度方向の帯域を制限した信号の絶対値より大きければ前記第２の高周波信号を、小さければ前記第３の高周波信号を選択することを特徴とする輝度信号作成装置。
【請求項７】
前記加重加算手段は、前記撮像素子の着目画素を挟んで上下に存在する少なくとも一組の画素信号の差分値の絶対値と、前記着目画素を挟んで左右に存在する少なくとも一組の画素信号の差分値の絶対値との差に基づいて被写体が縦縞もしくは横縞である度合いを判別し、縦縞もしくは横縞に近いほど、前記第４の高周波信号における前記第１の高周波信号の比率を高くする加重加算を行なうことを特徴とする請求項６記載の輝度信号作成装置。
【請求項８】
前記加重加算手段は、前記Ｇ画素のうちＲ画素の両隣に存在するＧ１画素信号の低周波成分と、Ｂ画素の両隣に存在するＧ２画素信号の低周波成分との差分信号の絶対値が大きいほど、前記第４の高周波信号における前記第１の高周波信号の比率を高くする加重加算を行なうことを特徴とする請求項６又は請求項７に記載の輝度信号作成装置。
【請求項９】
前記加重加算手段は、前記撮像素子から得られる前記被写体の信号の低周波数領域を検出するフィルタの出力信号の絶対値信号が大きいほど、前記第４の高周波信号における前記第１の高周波信号の比率を高くする加重加算を行なうことを特徴とする請求項６乃至請求項８のいずれか１項に記載の輝度信号作成装置。
【請求項１０】
前記加重加算手段は、前記撮像素子から得られる前記被写体の信号から前記被写体の色を検出し、前記被写体の色が赤色に近いほど前記第４の高周波信号における前記第１の高周波信号の比率を高くする加重加算を行なうことを特徴とする請求項６乃至請求項９のいずれか１項に記載の輝度信号作成装置。
【請求項１１】
原色ベイヤー配列の色フィルタを備えた撮像素子と、
請求項１乃至請求項１０のいずれか１項に記載の輝度信号作成装置を備える撮像装置。
【請求項１２】
原色ベイヤー配列の色フィルタを備えた撮像素子によって得られた被写体の信号から、輝度信号を作成する輝度信号作成方法であって、
前記撮像素子のＧ画素の信号のみから作成した第１の輝度信号を用いて第１の高周波信号を作成する第１の高周波信号作成工程と、
前記撮像素子の全色画素の信号から作成した第２の輝度信号を用いて第２の高周波信号を作成する第２の高周波信号作成工程と、
前記被写体の信号の空間周波数に応じて前記第１の高周波信号と第２の高周波信号を加重加算し第３の高周波信号を作成する加重加算工程と、
前記第１の輝度信号と第３の高周波信号を加算し、第３の輝度信号を作成する加算工程とを有し、
前記加重加算工程は、前記第１の輝度信号に、空間周波数領域において４５度方向のバンドパスフィルタ処理を行った第１のバンドパス信号と、前記第１の輝度信号に、空間周波数領域において１３５度方向のバンドパスフィルタ処理を行った第２のバンドパス信号との差の絶対値が大きいほど、前記第３の高周波信号における前記第２の高周波信号の比率を高くする加重加算を行なうことを特徴とする輝度信号作成方法。
【請求項１３】
原色ベイヤー配列の色フィルタを備えた撮像素子によって得られた被写体の信号から、輝度信号を作成する輝度信号作成方法であって、
前記撮像素子のＧ画素のみから作成した第１の輝度信号を用いて第１の高周波信号を作成する第１の高周波信号作成工程と、
前記撮像素子の全色画素の信号の水平、垂直及び４５度方向の帯域を制限した第２の輝度信号を用いて第２の高周波信号を作成する第２の高周波信号作成工程と、
前記撮像素子の全色画素の信号の水平、垂直及び１３５度方向の帯域を制限した第３の輝度信号を用いて第３の高周波信号を作成する第３の高周波信号作成工程と、
前記第２及び第３の高周波信号の一方を選択する選択工程と、
前記第１の高周波信号と、前記第２及び第３の高周波信号のうち前記選択工程が選択した一方とを加重加算し、第４の高周波信号を作成する加重加算工程と、
前記第１の輝度信号と第４の高周波信号とを加算し、第４の輝度信号を出力する加算工程とを有し、
前記選択工程は、前記第１の輝度信号の４５度方向の帯域を制限した信号の絶対値が前記第１の輝度信号の１３５度方向の帯域を制限した信号の絶対値より大きければ前記第２の高周波信号を、小さければ前記第３の高周波信号を選択することを特徴とする輝度信号作成方法。
【請求項１４】
コンピュータに、請求項１２又は請求項１３記載の輝度信号作成方法の各工程を実行させるためのプログラム。
【手続補正２】
【補正対象書類名】明細書
【補正対象項目名】００１９
【補正方法】変更
【補正の内容】
【００１９】
上述の目的は、原色ベイヤー配列の色フィルタを備えた撮像素子によって得られた被写体の信号から、輝度信号を作成する輝度信号作成装置であって、撮像素子のＧ画素の信号のみから作成した第１の輝度信号を用いて第１の高周波信号を作成する第１の高周波信号作成手段と、撮像素子の全色画素の信号から作成した第２の輝度信号を用いて第２の高周波信号を作成する第２の高周波信号作成手段と、被写体の信号の空間周波数に応じて第１の高周波信号と第２の高周波信号を加重加算し第３の高周波信号を作成する加重加算手段と、第１の輝度信号と第３の高周波信号を加算し、第３の輝度信号を作成する加算手段とを有し、加重加算手段は、第１の輝度信号に、空間周波数領域において４５度方向のバンドパスフィルタ処理を行った第１のバンドパス信号と、第１の輝度信号に、空間周波数領域において１３５度方向のバンドパスフィルタ処理を行った第２のバンドパス信号との差の絶対値が大きいほど、第３の高周波信号における第２の高周波信号の比率を高くする加重加算を行なうことを特徴とする輝度信号作成装置によって達成される。
【手続補正３】
【補正対象書類名】明細書
【補正対象項目名】００２０
【補正方法】変更
【補正の内容】
【００２０】
また、上述の目的は、原色ベイヤー配列の色フィルタを備えた撮像素子によって得られた被写体の信号から、撮像素子の各画素の輝度信号を作成する輝度信号作成装置であって、撮像素子のＧ画素のみから作成した第１の輝度信号を用いて第１の高周波信号を作成する第１の高周波信号作成手段と、撮像素子の全色画素の信号の水平、垂直及び４５度方向の帯域を制限した第２の輝度信号を用いて第２の高周波信号を作成する第２の高周波信号作成手段と、撮像素子の全色画素の信号の水平、垂直及び１３５度方向の帯域を制限した第３の輝度信号を用いて第３の高周波信号を作成する第３の高周波信号作成手段と、第２及び第３の高周波信号の一方を選択する選択手段と、第１の高周波信号と、第２及び第３の高周波信号のうち選択手段が選択した一方とを加重加算し、第４の高周波信号を作成する加重加算手段と、第１の輝度信号と第４の高周波信号とを加算し、第４の輝度信号を出力する加算手段と、を有し、選択手段は、第１の輝度信号の４５度方向の帯域を制限した信号の絶対値が第１の輝度信号の１３５度方向の帯域を制限した信号の絶対値より大きければ第２の高周波信号を、小さければ第３の高周波信号を選択することを特徴とする輝度信号作成装置によっても達成される。
【手続補正４】
【補正対象書類名】明細書
【補正対象項目名】００２１
【補正方法】変更
【補正の内容】
【００２１】
また、上述の目的は、原色ベイヤー配列の色フィルタを備えた撮像素子によって得られた被写体の信号から、輝度信号を作成する輝度信号作成方法であって、撮像素子のＧ画素の信号のみから作成した第１の輝度信号を用いて第１の高周波信号を作成する第１の高周波信号作成工程と、撮像素子の全色画素の信号から作成した第２の輝度信号を用いて第２の高周波信号を作成する第２の高周波信号作成工程と、被写体の信号の空間周波数に応じて第１の高周波信号と第２の高周波信号を加重加算し第３の高周波信号を作成する加重加算工程と、第１の輝度信号と第３の高周波信号を加算し、第３の輝度信号を作成する加算工程とを有し、加重加算工程は、第１の輝度信号に、空間周波数領域において４５度方向のバンドパスフィルタ処理を行った第１のバンドパス信号と、第１の輝度信号に、空間周波数領域において１３５度方向のバンドパスフィルタ処理を行った第２のバンドパス信号との差の絶対値が大きいほど、第３の高周波信号における第２の高周波信号の比率を高くする加重加算を行なうことを特徴とする輝度信号作成方法によっても達成される。
【手続補正５】
【補正対象書類名】明細書
【補正対象項目名】００２２
【補正方法】変更
【補正の内容】
【００２２】
また、上述の目的は、原色ベイヤー配列の色フィルタを備えた撮像素子によって得られた被写体の信号から、輝度信号を作成する輝度信号作成方法であって、撮像素子のＧ画素のみから作成した第１の輝度信号を用いて第１の高周波信号を作成する第１の高周波信号作成工程と、撮像素子の全色画素の信号の水平、垂直及び４５度方向の帯域を制限した第２の輝度信号を用いて第２の高周波信号を作成する第２の高周波信号作成工程と、撮像素子の全色画素の信号の水平、垂直及び１３５度方向の帯域を制限した第３の輝度信号を用いて第３の高周波信号を作成する第３の高周波信号作成工程と、第２及び第３の高周波信号の一方を選択する選択工程と、第１の高周波信号と、第２及び第３の高周波信号のうち選択工程が選択した一方とを加重加算し、第４の高周波信号を作成する加重加算工程と、第１の輝度信号と第４の高周波信号とを加算し、第４の輝度信号を出力する加算工程とを有し、選択工程は、第１の輝度信号の４５度方向の帯域を制限した信号の絶対値が第１の輝度信号の１３５度方向の帯域を制限した信号の絶対値より大きければ第２の高周波信号を、小さければ第３の高周波信号を選択することを特徴とする輝度信号作成方法によっても達成される。